(57)【特許請求の範囲】
【請求項１】
ミスト浴用空間に対してミストを噴出するミスト噴出手段と、
給水路からの湯水をバーナにて加熱される湯水加熱用熱交換器にて加熱して前記ミスト噴出手段に供給し、且つ、湯水の通水量が燃焼用設定量以上のときには前記バーナを燃焼させかつ湯水の通水量が前記燃焼用設定量未満のときには前記バーナの燃焼を停止させる燃焼式の給湯器と、
前記給湯器から前記ミスト噴出手段に供給される湯水を加熱する湯水加熱手段と、
前記給湯器の通水量が前記燃焼用設定量以上になる多量噴出状態と前記給湯器の通水量が前記燃焼用設定量未満になる少量噴出状態とに切換えるように、前記ミスト噴出手段からのミスト噴出量を変更するミスト噴出量変更手段とが設けられた浴用ミスト噴出装置であって、
前記給湯器が、
前記湯水加熱用熱交換器をバイパスして前記給水路からの湯水を流動させるバイパス路を前記給湯器内に備えて、
湯水の通水量が前記燃焼用設定量以上のときには、前記給水路からの湯水を、前記湯水加熱用熱交換器及び前記バイパス路の両者を通して流動させて加熱したのち前記ミスト噴出手段に供給し、且つ、湯水の通水量が前記燃焼用設定量未満のときには、前記給水路からの湯水を、前記湯水加熱用熱交換器を通過させない状態で前記バイパス路のみを通して流動させて前記ミスト噴出手段に供給するように構成されている浴用ミスト噴出装置。
【請求項２】
運転を制御する制御手段が、運転開始指令が指令されてから運転状態切換タイミングを判別するまでは、前記多量噴出状態となるように前記ミスト噴出量変更手段を制御し、かつ、前記運転状態切換タイミングを判別すると、前記少量噴出状態となるように前記ミスト噴出量変更手段を制御するように構成されている請求項１記載の浴用ミスト噴出装置。
【請求項３】
前記給湯器が、前記ミスト噴出手段に加えて、一般給湯栓に給湯するように構成され、
前記給湯器から前記湯水加熱手段に流動する湯水の温度を検出する加熱前温度検出手段と、前記湯水加熱手段にて加熱されたのちに前記ミスト噴出手段に流動する湯水の温度を検出する加熱後湯水温度検出手段とが設けられ、
前記制御手段が、
加熱後湯水温度検出手段の検出情報に基づいて、湯水の温度が設定目標温度になるように前記湯水加熱手段の加熱量を変更調整するフィードバック式の加熱量制御を実行し、且つ、
前記少量噴出状態となるように前記ミスト噴出量変更手段を制御した状態において、前記加熱前温度検出手段の検出情報に基づいて、前記給湯器が燃焼状態から非燃焼状態に変化したことを検出したときには、前記フィードバック式の加熱量制御に優先して、予め設定した非燃焼用の初期加熱量となるように、前記湯水加熱手段の加熱量を変更調整するフィードフォワード式の加熱量制御を実行するように構成されている請求項２記載の浴用ミスト噴出装置。
【請求項４】
前記制御手段が、
前記少量噴出状態となるように前記ミスト噴出量変更手段を制御した状態において、前記加熱前温度検出手段の検出情報に基づいて、前記給湯器が非燃焼状態から燃焼状態に変化したことを検出したときには、前記フィードフォワード式の加熱量制御として、予め設
定した燃焼用の初期加熱量となるように、前記湯水加熱手段の加熱量を変更調整する制御を実行するように構成されている請求項３記載の浴用ミスト噴出装置。
【発明の詳細な説明】
【技術分野】
【０００１】
本発明は、ミスト浴用空間に対してミストを噴出するミスト噴出手段と、給水路からの湯水をバーナにて加熱される湯水加熱用熱交換器にて加熱して前記ミスト噴出手段に供給し、且つ、湯水の通水量が燃焼用設定量以上のときには前記バーナを燃焼させかつ湯水の通水量が前記燃焼用設定量未満のときには前記バーナの燃焼を停止させる燃焼式の給湯器と、前記給湯器から前記ミスト噴出手段に供給される湯水を加熱する湯水加熱手段と、前記給湯器の通水量が前記燃焼用設定量以上になる多量噴出状態と前記給湯器の通水量が前記燃焼用設定量未満になる少量噴出状態とに切換えるように、前記ミスト噴出手段からのミスト噴出量を変更するミスト噴出量変更手段とが設けられた浴用ミスト噴出装置に関する。
【背景技術】
【０００２】
かかる浴用ミスト噴出装置は、浴室内等のミスト浴用空間に対してミストを噴出することにより、ミスト浴を行えるようにしたものである。
そして、ミスト噴出量変更手段にて多量噴出状態と少量噴出状態とに切換えることができるものであるから、例えば、運転を開始して、ミスト浴用空間を、ミスト浴を行うに適した状態となるように昇温させる場合には、多量噴出状態に切換えることにより、給湯器の湯水加熱用熱交換器にて加熱された多量の湯水を、湯水加熱手段にて加熱して、ミスト浴用空間に噴出させることにより、ミスト浴用空間を迅速に昇温させることができる。
【０００３】
また、ミスト浴を行うに適した状態にミスト浴用空間を昇温させたのちは、少量噴出状態に切換えることにより、給湯器の湯水加熱用空間にて加熱されていない少量の湯水を、湯水加熱手段にて加熱して、ミスト浴用空間に噴出させることにより、入浴者に快適感を与えながら、ミスト浴を行わせることができるものとなる。
【０００４】
つまり、ミスト浴を行うときにも、多量噴出状態に切換えておくと、多量のミストのために、入浴者に息苦しさを与えるなど、不快感を与える虞があるが、ミスト浴を行うときには、少量噴出状態に切換えることにより、快適な状態でミスト浴を行うことが可能となるのである。
【０００５】
ちなみに、給湯器からミスト噴出手段に供給される湯水を加熱する湯水加熱手段としては、熱源機から循環供給される高温（例えば、８０℃）の熱媒と、給湯器からミスト噴出手段に供給される湯水とを熱交換させる液々熱交換器を用いて構成される場合が多いが、湯水加熱手段としては、電熱ヒータ等の加熱器を備えた電気加熱式に構成される場合もある。
【０００６】
かかる浴用ミスト噴出装置の従来例として、少量噴出状態において、バーナの燃焼停止状態で給湯器からの湯水をミスト噴出手段に供給するにあたり、給湯器の湯水加熱用熱交換器を通して湯水を通流させるように構成したものがある（例えば、特許文献１（段落〔００４１〕）参照。）。
【０００７】
しかしながら、少量噴出状態において、給湯器の湯水加熱用熱交換器を通して湯水を通流させると、給湯器の湯水加熱用熱交換器が、湯水の通流によるドレンの発生ために、早期に劣化する等の不都合を生じる虞がある。
【０００８】
このため、特許文献１においては、給湯器の湯水加熱用熱交換器が早期に劣化する等の不都合を生じる虞を回避するために、発明構成として、湯水加熱手段に対して湯水を供給する湯水加熱手段用の給水路を設け、そして、給湯器からの湯水を湯水加熱手段に供給する給湯器供給状態と、湯水加熱手段用の給水路からの湯水を湯水加熱手段に供給する給水路供給状態とに切換える弁手段を設けて、多量噴出状態においては、給湯器供給状態にし、かつ、少量噴出状態においては、給水路供給状態にするように、弁手段を切換えるように構成した浴用ミスト噴出装置が開示されている。
【０００９】
つまり、特許文献１は、少量噴出状態において、給湯器の湯水加熱用熱交換器を通して湯水を通流させる構成を、比較構成として説明し、この比較構成の不都合を回避するために、発明構成として、湯水加熱手段用の給水路を設けて、少量噴出状態においては、給湯器からの湯水をミスト噴出手段に供給することを停止して、この湯水加熱手段用の給水路からの湯水を、湯水加熱手段を経由してミスト噴出手段に供給する構成を開示するものである。
【先行技術文献】
【特許文献】
【００１０】
【特許文献１】特開２００６−３０４８７１号公報
【発明の概要】
【発明が解決しようとする課題】
【００１１】
特許文献１に発明構成として開示された浴用ミスト噴出装置は、少量噴出状態においては、給湯器からの湯水をミスト噴出手段に供給することを停止して、湯水加熱手段用の給水路からの湯水を、湯水加熱手段を経由してミスト噴出手段に供給することにより、給湯器の湯水加熱用熱交換器が早期に劣化する等の不都合の発生を回避できるものではあるが、湯水加熱手段用の給水路を配設する必要があり、装置全体としての配管構成が複雑となる虞があった。
【００１２】
ちなみに、特許文献１に開示されている浴用ミスト噴出装置は、湯水加熱手段が室外機として構成されているため、湯水加熱手段用の給水路を配設することが、比較的行い易いものであるが、浴室内をミスト浴用空間として用いる場合には、一般に、湯水加熱手段を、浴室の天井裏等、浴室の外周部に配設することが多いものであり、このような場合には、湯水加熱手段用の給水路を設けるための配管作業は、面倒で手間の掛かる作業となるものである。
【００１３】
本発明は、上記実情に鑑みて為されたものであって、その目的は、給湯器の湯水加熱用熱交換器が早期に劣化する等の不都合が発生することを回避しながらも、配管構成の簡素化を図ることができる浴用ミスト噴出装置を提供する点にある。
【課題を解決するための手段】
【００１４】
本発明の浴用ミスト噴出装置は、ミスト浴用空間に対してミストを噴出するミスト噴出手段と、
給水路からの湯水をバーナにて加熱される湯水加熱用熱交換器にて加熱して前記ミスト噴出手段に供給し、且つ、湯水の通水量が燃焼用設定量以上のときには前記バーナを燃焼させかつ湯水の通水量が前記燃焼用設定量未満のときには前記バーナの燃焼を停止させる燃焼式の給湯器と、
前記給湯器から前記ミスト噴出手段に供給される湯水を加熱する湯水加熱手段と、
前記給湯器の通水量が前記燃焼用設定量以上になる多量噴出状態と前記給湯器の通水量が前記燃焼用設定量未満になる少量噴出状態とに切換えるように、前記ミスト噴出手段からのミスト噴出量を変更するミスト噴出量変更手段とが設けられたものであって、その第１特徴構成は、
前記給湯器が、前記湯水加熱用熱交換器をバイパスして前記給水路からの湯水を流動させるバイパス路を前記給湯器内に備えて、湯水の通水量が前記燃焼用設定量以上のときには、前記給水路からの湯水を、前記湯水加熱用熱交換器及び前記バイパス路の両者を通して流動させて加熱したのち前記ミスト噴出手段に供給し、且つ、湯水の通水量が前記燃焼用設定量未満のときには、前記給水路からの湯水を、前記湯水加熱用熱交換器を通過させない状態で前記バイパス路のみを通して流動させて前記ミスト噴出手段に供給するように構成されている点を特徴とする。
【００１５】
すなわち、ミスト噴出量変更手段を多量噴出状態に切換えると、給湯器が、湯水の通水量が燃焼用設定量以上であるため、給水路からの湯水を、湯水加熱用熱交換器を通して流動させて加熱したのちミスト噴出手段に供給することになり、そして、ミスト噴出量変更手段を少量噴出状態に切換えると、給湯器が、湯水の通水量が燃焼用設定量未満であるため、給水路からの湯水を、湯水加熱用熱交換器を通過させない状態で流動させてミスト噴出手段に供給することになる。
【００１６】
このように、多量噴出状態及び少量噴出状態のいずれにおいても、給湯器からの湯水をミスト噴出手段に供給するものであるから、従来例において設けた湯水加熱手段用の給水路を設ける必要がないため、装置全体の配管構成を簡素にできる。
【００１７】
また、給湯器は、湯水の通水量が燃焼用設定量未満であるときには、給水路からの湯水を、湯水加熱用熱交換器を通過させない状態で流動させてミスト噴出手段に供給するものであるから、少量噴出状態においても、給湯器からの湯水をミスト噴出手段に供給するものでありながらも、給湯器の湯水加熱用熱交換器に、ドレンが発生することを抑制できるため、給湯器の湯水加熱用熱交換器がドレン発生のために早期に劣化する等の不都合が生じることを回避できる。
【００１８】
要するに、本発明の第１特徴構成によれば、給湯器の湯水加熱用熱交換器が早期に劣化する等の不都合が発生することを回避しながらも、配管構成の簡素化を図ることができる浴用ミスト噴出装置を提供できる。
【００２０】
加えて、ミスト噴出量変更手段を多量噴出状態に切換えると、給湯器が、湯水の通水量が燃焼用設定量以上であるため、給水路からの湯水を、湯水加熱用熱交換器及びその湯水加熱用熱交換器をバイパスして給水路からの湯水を流動させるバイパス路の両者を通して流動させることになり、そして、ミスト噴出量変更手段を少量噴出状態に切換えると、給湯器が、湯水の通水量が燃焼用設定量未満であるため、給水路からの湯水を、湯水加熱用熱交換器をバイパスして流動させるバイパス路のみを通して流動させることになる。
【００２１】
つまり、少量噴出状態においては、給水路からの湯水を、バイパス路のみを通して流動させることにより、湯水加熱用熱交換器を通過させない状態で流動させてミスト噴出手段に供給するようにし、そして、多量噴出状態においては、給水路からの湯水を、湯水加熱用熱交換器及びバイパス路の両者を通して流動させて、湯水加熱用熱交換器にて高温に加熱された湯水とバイパス路を流動する低温の湯水を混合させて、その混合した湯水をミスト噴出手段に供給することになる。
【００２２】
そして、多量噴出状態においては、給水路からの湯水を、湯水加熱用熱交換器及びバイパス路の両者を通して流動させるものであるから、給水路からの湯水の全量を、湯水加熱用熱交換器を通して流動させるようにする場合に較べて、湯水加熱用熱交換器を小型に構成できるものなり、給湯器の小型化を図ることができる。
【００２３】
要するに、本発明の第１特徴構成によれば、給湯器の小型化を図ることができる浴用ミスト噴出装置を提供できる。
【００２４】
本発明の第２特徴構成は、上記第１特徴構成に加えて、
運転を制御する制御手段が、運転開始指令が指令されてから運転状態切換タイミングを判別するまでは、前記多量噴出状態となるように前記ミスト噴出量変更手段を制御し、かつ、前記運転状態切換タイミングを判別すると、前記少量噴出状態となるように前記ミスト噴出量変更手段を制御するように構成されている点を特徴とする。
【００２５】
すなわち、運転開始指令が指令されると、制御手段が、多量噴出状態となるようにミスト噴出量変更手段を制御することになり、そして、制御手段は、運転状態切換タイミングを判別すると、少量噴出状態となるようにミスト噴出量変更手段を制御することになる。
【００２６】
このように、運転開始指令を指令してから運転状態切換タイミングを判別するまでは、多量噴出状態となるようにミスト噴出量変更手段を制御し、かつ、運転状態切換タイミングを判別すると、少量噴出状態となるようにミスト噴出量変更手段を制御することが自動的に行われるから、運転を開始して、ミスト浴用空間を、ミスト浴を行うに適した状態となるように迅速に昇温させることや、ミスト浴を行うに適した状態にミスト浴用空間を昇温させたのちにおいて、入浴者に快適感を与えながら、ミスト浴を行わせることを、特別な操作を行うことなく、適切に行えるものとなる。
【００２７】
ちなみに、運転状態切換タイミングを判別する構成としては、運転開始からの経過時間が、ミスト浴を行うに適した状態となるようにミスト浴用空間を昇温させるのに必要な時間を見込んで設定した設定時間に達すると、運転状態切換タイミングであると判別する構成や、ミスト浴用空間の温度を検出する温度検出センサの検出温度が、運転状態切換用の設定温度に上昇すると、運転状態切換タイミングであると判別する構成が考えられる。
【００２８】
その他、ミスト浴用空間内に人体が存在するか否かを検出する人体検知センサが、人体非存在状態から人体存在状態を検出すると、運転状態切換タイミングであると判別する構成も考えられるものであり、そして、ミスト浴用空間内に人体が存在するか否かを検出する構成としては、ミスト浴用空間の温度を検出する温度検出センサの検出温度が、入浴者がミスト浴用空間の入口の扉を開閉してミスト浴用空間に入ることにより、一旦低下したのち再び上昇することに鑑みて、その温度変化を検出すると、運転状態切換タイミングであると判別する構成を採用することもできる。
【００２９】
要するに、本発明の第２特徴構成によれば、上記した第１特徴構成による作用効果に加えて、運転を開始して、ミスト浴用空間を、ミスト浴を行うに適した状態となるように迅速に昇温させることや、ミスト浴を行うに適した状態にミスト浴用空間を昇温させたのちにおいて、入浴者に快適感を与えながら、ミスト浴を行わせることを、特別な操作を行うことなく、適切に行える浴用ミスト噴出装置を提供できる。
【００３０】
本発明の第３特徴構成は、上記第２特徴構成に加えて、
前記給湯器が、前記ミスト噴出手段に加えて、一般給湯栓に給湯するように構成され、
前記給湯器から前記湯水加熱手段に流動する湯水の温度を検出する加熱前温度検出手段と、前記湯水加熱手段にて加熱されたのちに前記ミスト噴出手段に流動する湯水の温度を検出する加熱後湯水温度検出手段とが設けられ、
前記制御手段が、
加熱後湯水温度検出手段の検出情報に基づいて、湯水の温度が設定目標温度になるように前記湯水加熱手段の加熱量を変更調整するフィードバック式の加熱量制御を実行し、且つ、
前記少量噴出状態となるように前記ミスト噴出量変更手段を制御した状態において、前記加熱前温度検出手段の検出情報に基づいて、前記給湯器が燃焼状態から非燃焼状態に変化したことを検出したときには、前記フィードバック式の加熱量制御に優先して、予め設定した非燃焼用の初期加熱量となるように、前記湯水加熱手段の加熱量を変更調整するフィードフォワード式の加熱量制御を実行するように構成されている点を特徴とする。
【００３１】
すなわち、制御手段が、ミスト噴出量変更手段にて多量噴出状態及び少量噴出状態に切換えたいずれの状態においても、湯水加熱手段にて加熱されたのちにミスト噴出手段に流動する湯水の温度を検出する加熱後湯水温度検出手段の検出情報に基づいて、湯水の温度が設定目標温度になるように湯水加熱手段の加熱量を変更調整するフィードバック式の加熱量制御を実行することになるため、多量噴出状態及び少量噴出状態のいずれにおいても、設定目標温度のミストが、ミスト噴出手段から噴出されることになる。
【００３２】
また、制御手段が、少量噴出状態となるようにミスト噴出量変更手段を制御した状態において、給湯器から湯水加熱手段に流動する湯水の温度を検出する加熱前温度検出手段の検出情報に基づいて、給湯器が燃焼状態から非燃焼状態に変化したことを検出したときには、フィードバック式の加熱量制御に優先して、予め設定した非燃焼用の初期加熱量となるように、湯水加熱手段の加熱量を変更調整するフィードフォワード式の加熱量制御を実行することになるため、少量噴出状態おいて、一般給湯栓から湯水が消費されることにより燃焼状態となっていた給湯器が一般給湯栓の湯水の消費が終了して、非燃焼状態になったときに、ミストの温度が大きく低下することを抑制できることになる。
【００３３】
つまり、フィードフォワード式の加熱量制御を備えさせない場合においても、少量噴出状態おいて、一般給湯栓から湯水が消費されることにより燃焼状態となっていた給湯器が一般給湯栓の湯水の消費が終了して、非燃焼状態になると、加熱後湯水温度検出手段の検出温度が設定目標温度よりも低下することになるため、フィードバック式の加熱量制御により、湯水の温度が設定目標温度になるように湯水加熱手段の加熱量が変更調整されることになるが、この場合、フィードバック式の加熱量制御は、加熱後湯水温度検出手段の温度の低下を検出してから、湯水温度加熱手段の加熱量を変更調整するものであるため、湯水加熱手段にて加熱されてミスト噴出手段に供給される湯水の温度が、一時的に大きく低下する虞がある。
【００３４】
そこで、少量噴出状態おいて、一般給湯栓から湯水が消費されることにより燃焼状態となっていた給湯器が一般給湯栓の湯水の消費が終了して、非燃焼状態になったことを、加熱前温度検出手段の検出情報に基づいて検出したときには、フィードバック式の加熱量制御に優先して、予め設定した非燃焼用の初期加熱量となるように、湯水加熱手段の加熱量を変更調整するフィードフォワード式の加熱量制御を実行させることにより、湯水加熱手段にて加熱されてミスト噴出手段に供給される湯水の温度が、大きく低下することを抑制するのである。
【００３５】
ちなみに、非燃焼用の初期加熱量とは、少量噴出状態おいて、給湯器が非燃焼状態であるときに、湯水加熱手段にて加熱された湯水の温度を設定目標温度にするのに好適な加熱量として定められることになるが、この非燃焼用の初期加熱量は、予め実験により定めることができ、また、少量噴出状態おいて、給湯器が非燃焼状態であるときに、湯水加熱手段にて加熱された湯水の温度を設定目標温度なるように、フィードバック式の加熱量制御より調整した湯水加熱手段の加熱量を、非燃焼用の初期加熱量として記憶させるようにしてもよい。
【００３６】
要するに、本発明の第３特徴構成によれば、上記した第２特徴構成による作用効果に加えて、湯水加熱手段にて加熱されてミスト噴出手段に供給される湯水の温度が、大きく低下することを抑制できる浴用ミスト噴出装置を提供できる。
【００３７】
本発明の第４特徴構成は、上記第３特徴構成に加えて、
前記制御手段が、
前記少量噴出状態となるように前記ミスト噴出量変更手段を制御した状態において、前記加熱前温度検出手段の検出情報に基づいて、前記給湯器が非燃焼状態から燃焼状態に変化したことを検出したときには、前記フィードフォワード式の加熱量制御として、予め設定した燃焼用の初期加熱量となるように、前記湯水加熱手段の加熱量を変更調整する制御を実行するように構成されている点を特徴とする。
【００３８】
すなわち、制御手段が、少量噴出状態となるようにミスト噴出量変更手段を制御した状態において、加熱前温度検出手段の検出情報に基づいて、給湯器が非燃焼状態から燃焼状態に変化したことを検出したときには、フィードフォワード式の加熱量制御として、予め設定した燃焼用の初期加熱量となるように、湯水加熱手段の加熱量を変更調整する制御を実行するため、少量噴出状態おいて、一般給湯栓からの湯水の消費が開始されて、給湯器が非燃焼状態から燃焼状態となったときに、ミストの温度が大きく上昇することを抑制できることになる。
【００３９】
つまり、フィードフォワード式の加熱量制御を備えさせない場合においても、少量噴出状態おいて、一般給湯栓から湯水が消費されることにより、給湯器が燃焼状態となると、加熱後湯水温度検出手段の検出温度が設定目標温度よりも上昇することになるため、フィードバック式の加熱量制御により、湯水の温度が設定目標温度になるように湯水加熱手段の加熱量が変更調整されることになるが、この場合、フィードバック式の加熱量制御は、加熱後湯水温度検出手段の温度の上昇を検出してから、湯水温度加熱手段の加熱量を変更調整するものであるため、湯水加熱手段にて加熱されてミスト噴出手段に供給される湯水の温度が、一時的に大きく上昇する虞がある。
【００４０】
そこで、少量噴出状態おいて、一般給湯栓から湯水が消費されることが開始されて、給湯器が非燃焼状態から燃焼状態になったことを、加熱前温度検出手段の検出情報に基づいて検出したときには、フィードバック式の加熱量制御に優先して、予め設定した燃焼用の初期加熱量となるように、湯水加熱手段の加熱量を変更調整するフィードフォワード式の加熱量制御を実行させることにより、湯水加熱手段にて加熱されてミスト噴出手段に供給される湯水の温度が、大きく上昇することを抑制するのである。
【００４１】
ちなみに、燃焼用の初期加熱量とは、少量噴出状態おいて、給湯器が燃焼状態であるときに、湯水加熱手段にて加熱された湯水の温度を設定目標温度にするのに好適な加熱量として定められることになるが、この燃焼用の初期加熱量は、予め実験により定めることができ、また、少量噴出状態おいて、給湯器が燃焼状態であるときに、湯水加熱手段にて加熱された湯水の温度を設定目標温度なるように、フィードバック式の加熱量制御より調整した湯水加熱手段の加熱量を、燃焼用の初期加熱量として記憶させるようにしてもよい。
【００４２】
要するに、本発明の第４特徴構成によれば、上記した第３特徴構成による作用効果に加えて、湯水加熱手段にて加熱されてミスト噴出手段に供給される湯水の温度が、大きく上昇することを抑制できる浴用ミスト噴出装置を提供できる。
【図面の簡単な説明】
【００４３】
【図１】浴室暖房乾燥機の概略構成図
【図２】浴室暖房乾燥機を浴室に設置した状態を示す斜視図
【図３】脱衣室リモコンの正面図
【図４】給湯器の概略構成図
【図５】制御作動を示すフローチャート
【発明を実施するための形態】
【００４４】
以下、本発明に係る浴用ミスト噴出装置を装備した浴室暖房乾燥機の実施の形態を、図面に基づいて説明する。
図１及び図２に示すように、浴室暖房乾燥機は、装置本体１と、熱媒を循環供給する熱源機２と、湯水を加熱して給湯する給湯器Ｄと、装置本体１の運転を制御する制御手段としての運転制御部３と、浴室４内に備えられて運転制御部３に各種制御指令を指令する浴室リモコンＲ１と、浴室４に隣接する脱衣室に備えられて運転制御部３に各種制御指令を指令する脱衣室リモコンＲ２とを備えて構成されている。
ちなみに、熱源機２と給湯器Ｄとは、図２に示すように、一つのケーシング内に収納されて、給湯熱源機Ｆとして構成されて、屋外等、浴室４の外部に設置される。
【００４５】
図２に示すように、装置本体１は、浴室４の天井裏に、天井スラブ等に対して吊り金具５にて吊り下げ支持した状態で配置され、その下面が浴室４の天井板６の開口に臨ませる状態となっている。
そして、図１に示すように、装置本体１には、浴室４内の空気を循環通風するための循環ファン７、その循環ファン７にて通風される空気を加熱する空調用熱交換器８、浴室４を換気するための換気ファン９等が備えられ、それらの機器類が本体ケーシング１２内に装備されている。
【００４６】
また、本体ケーシング１２の下方には、グリル板１３が浴室４の天井の表面側に位置するように設置され、このグリル板１３には、ミスト噴出手段Ｂとしての３個のミストノズル１１が備えられている。
これら３個のミストノズル１１には、給湯器Ｄからの湯水が給湯路１０を通して供給され、３個のミストノズル１１が、ミスト浴用空間としての浴室内空間Ｋに対して、湯水をミスト状に噴出するように構成されている。
【００４７】
グリル板１３には、吸気口１４と吹出口１５とが並設され、本体ケーシング１２の内部には、吸気口１４を通して浴室４内の空気を吸引して吹出口１５を通して吹出すための循環通風路１６が形成されている。
この循環通風路１６内に、循環ファン７が、吸気口１４から吸引した浴室内の空気を吹出口１５から浴室４内に吹出すように通風作用する状態で設けられている。
【００４８】
空調用熱交換器８が、循環通風路１６内における循環ファン７よりも通風方向上流側に設けられて、熱源機２から循環供給される熱媒との熱交換により、循環通風路１６内を通風する空気を加熱するよう構成されている。
したがって、循環ファン７の通風作用により、吸気口１４を通して吸引される浴室４内の空気が、空調用熱交換器８にて加熱されたのち、吹出口１５を通して浴室内に吹出されるように構成されており、これにより、浴室４内が暖房されるようになっている。
ちなみに、空調用熱交換器８は、上下一対の熱交換器部分をＬ字状に配設する形態に構成されている。
【００４９】
熱源機２には、熱媒（具体的には加熱された温水）を循環流動させる熱媒循環路１７が接続され、この熱媒循環路１７の往路１８が、２つの第１熱媒分岐路１９及び第２熱媒分岐路２０に分岐されている。
第１熱媒分岐路１９及び第２熱媒分岐路２０のうち、第１熱媒分岐路１９が後述する液々熱交換器２９に接続され、第２熱媒分岐路２０が空調用熱交換器８に接続されている。
【００５０】
第２熱媒分岐路２０における空調用熱交換器８の下流側が、熱媒循環路１７の復路２１に接続され、さらに、その第２熱媒分岐路２０には、その第２熱媒分岐路２０を開閉することにより空調用熱交換器８への熱媒の供給を断続自在な熱動弁２２が設けられている。
【００５１】
つまり、熱源機２にて加熱された熱媒（例えば、８０℃）が熱媒循環路１７を通して空調用熱交換器８に循環供給されるように構成され、また、熱動弁２２の開閉により、空調用熱交換器８に対する熱媒の供給を断続できるように構成されている。
ちなみに、本実施形態においては、循環ファン７、空調用熱交換器８、熱媒循環路１７、熱動弁２２等により浴室４を暖房する浴室暖房手段Ａが構成されることになる。
【００５２】
循環通風路１６内における空調用熱交換器８よりも上流側の箇所には、通流する空気の温度を浴室４内の温度として検出する浴室温度検出手段として、サーミスタを用いて構成される浴室温検出センサ２３が設けられている。
吹出口１５には、電動モータ（図示せず）により揺動駆動される可動ルーバ２４が設けられ、その可動ルーバ２４により、吹出口１５から吹出される空気の吹出し方向を変更することができるように構成されている。
【００５３】
グリル板１３に、換気用吸気口９Ａが形成され、換気ファン９が、換気用吸気口９Ａから浴室４内の空気を吸引して、排気ダクト２５を通して外部に排気するように設けられており、換気ファン９の通風作用により、浴室４内の空気が排気ダクト２５を通して外部に排出されて、浴室４が換気されるように構成されている。
【００５４】
３個のミストノズル１１が、グリル板１３における換気用吸気口９Ａと吹出口１５との間に相当する箇所に、温水の噴出方向、つまり、ミストの噴出方向を下向きにする状態で装備され、そして、それら３個のミストノズル１１に対してミスト用の温水を供給する温水供給ユニット２６が、本体ケーシング１２の上部に設けられている。
【００５５】
温水供給ユニット２６は、本体ケーシング１２の上部に載置されるミスト用ケーシング２７を備えて、そのミスト用ケーシング２７内にミスト噴出のための機器類を装備する状態に構成されている。
ミスト用ケーシング２７内に装備される機器類は、具体的には、給湯器Ｄから延出される給湯路１０を開閉する給湯弁２８、給湯路１０を通流する湯水を熱源機２から循環供給される熱媒（具体的には温水）との熱交換により加熱する湯水加熱手段としての液々交換器２９、その液々熱交換器２９にて加熱された湯水が通流する下手側通流路３０、その下手側通流路３０から分岐された湯水排出用の排出路３１、その排出路３１を開閉する排水弁３２、サーミスタを用いて構成されて、下手側通流路３０を通流する湯水の温度を検出する加熱後湯水温度検出手段としての加熱後湯水温度センサ３３Ａ、及び、サーミスタを用いて構成されて、給湯路１０における液々熱交換２９の上手側に位置する部分を通流する湯水の温度を検出する加熱前湯水温度検出手段としての加熱前湯水温度センサ３３Ｂ等である。
ちなみに、液々熱交換器２９は、プレート式熱交換器を用いて構成されている。
【００５６】
液々熱交換器２９にて加熱された湯水が通流する下手側通流路３０には、ミスト供給路３４が、排出路３１とは分岐する状態で接続され、このミスト供給路３４が、本体ケーシング１２内にまで延出され、本体ケーシング１２内に延出されたミスト供給路３４が、２つの第１分岐路３５及び第２分岐路３６に分岐されている。
それら第１及び第２分岐路３５、３６のうちの、第１分岐路３５には、３つのミストノズル１１のうちの１つが接続され、第２分岐路３６には、３つのミストノズル１１のうちの２つが接続されている。
【００５７】
また、第１及び第２分岐路３５、３６の夫々には、ミストノズル１１への湯水の供給を断続自在な第１及び第２ミスト開閉弁３７、３８が設けられている。
これら第１及び第２ミスト開閉弁３７、３８を開いたときには、ミスト噴出手段としての３つのミストノズル１１から多量のミストが噴出される多量噴出状態（例えば、４Ｌ／分）となり、これら第１及び第２ミスト開閉弁３７、３８のうちの、第１ミスト開閉弁３７を閉じて第２ミスト開閉弁３８を開いたときには、ミスト噴出手段としての３つのミストノズル１１のうちの１つから少量のミストが噴出される少量噴出状態（例えば、１Ｌ／分）となる。
【００５８】
したがって、本実施形態においては、第１ミスト開閉弁３７が、多量噴出状態と少量噴出状態とに切換えるように、ミストノズル１１からのミスト噴出量を変更するミスト噴出量変更手段として機能することになる。
また、本実施形態においては、給湯路１０、下手側通流路３０、ミスト供給路３４、及び、第１及び第２分岐路３５、３６により、給湯器Ｄからの湯水をミスト噴出手段としてのミストノズル１１に供給する湯水供給用流路Ｙが構成され、上述の如く、液々熱交換器２９が、ミストノズル１１に供給される湯水を加熱する湯水加熱手段として機能することになる。
【００５９】
熱媒循環路１７の往路１８から分岐する第１熱媒分岐路１９が、上述の如く、液々熱交換器２９に接続され、その第１熱媒分岐路１９の液々熱交換器２９の下流側が熱媒循環路１７の復路２１に接続されている。
したがって、熱源機２にて加熱された熱媒（例えば、８０℃）が熱媒循環路１７を通して液々熱交換器２９に循環供給されるように構成されている。
【００６０】
第１熱媒分岐路１９には、その第１熱媒分岐路１９を開閉自在で且つ液々熱交換器２９への熱媒の通流量を変更調整自在な熱媒流量調整弁３９が、液々熱交換器２９の加熱量を調整する加熱量調整手段として設けられている。
又、熱媒循環路１７の往路１８には、通流する熱媒の温度を検出する熱媒温度検出手段として、サーミスタを用いて構成された熱媒温度検出センサ４０が設けられている。
【００６１】
液々熱交換器２９の下手側に接続される下手側通流路３０から分岐する排水路３１は、前回にミスト運転を実行してから長時間にわたりミスト運転が行われていない場合に、給湯路１０の内部や液々熱交換器２９の内部配管等に滞留する湯水を外部に排出させて新鮮な湯水をミストノズル１１に供給する湯水入れ替え処理を実行するためのものであり、湯水入れ替え処理は、第１及び第２ミスト開閉弁３７、３８を閉弁状態に維持したまま、給湯弁２８及び排水弁３２を開弁状態に切り換えることによって行われることになる。
【００６２】
したがって、本実施形態においては、排出路３１及び排水弁３２により、湯水供給用流路Ｙを通して供給される湯水をミストノズル１１に供給せずに外部に排出する排水手段Ｈが構成されることになる。
【００６３】
図４に示すように、給湯器Ｄは、供給される水を加熱して給湯する給湯部Ｄ１、この給湯部Ｄ１の作動を制御する制御手段Ｄ２、及び、この制御手段Ｄ２に対して種々の情報を指令するリモコン操作部Ｄ３などを備えて構成されている。
【００６４】
給湯部Ｄ１は、燃焼室１を備え、その燃焼室１内には、水加熱用の湯水加熱用熱交換器４５、この湯水加熱用熱交換器４５を加熱するガス燃焼式のバーナ４６、及び、このバーナ４６に燃焼用空気を通風するファン４７などが備えられている。
湯水加熱用熱交換器４５の入口側には、例えば家庭用の水道などから水が供給される給水路４８が接続され、湯水加熱用熱交換器４５の出口側には、加熱後の湯を出湯する出湯路４９がそれぞれ接続されている。
【００６５】
給水路４８には、その通水量Ｑｏを検出する通水量検出手段としての通水量センサ５０、及び、入水温度Ｔｃを検出する入水温検出手段としての入水温サーミスタ５１が備えられ、また、出湯路４９には、湯水加熱用熱交換器４５から出湯される湯の出湯温度Ｔｄｏを検出する出湯温検出手段としての出湯温サーミスタ５２が備えられている。
【００６６】
給水路４８と出湯路４９とが、湯水加熱用熱交換器４５を迂回するバイパス路５３にて接続され、出湯路４９におけるバイパス回路５３の接続部よりも下流側箇所には、上述した温水供給ユニット２６に湯水を供給する給湯路１０が接続され、その給湯路１０には、一般給湯栓５４に湯水を供給する一般給湯路１０Ａが分岐されている。
したがって、湯水加熱用熱交換器４５から出湯される湯とバイパス路５３から供給される水とが混合され、その混合された湯水が、ミスト用浴用空間Ｋに対してミストを噴出するミストノズル１１や、一般給湯栓５４に給湯されるように構成されている。
【００６７】
バイパス路５３と出湯路４９との合流箇所に、湯水加熱用熱交換器４５から出湯される湯と、バイパス路５３から供給される水との混合比を変更調整するミキシング手段としてのミキシングバルブ５５が設けられている。
給湯路１０における出湯路４９との接続部には、通水量が給湯器Ｄの加熱能力を超える場合に、通水量を絞るための水比例バルブ５６と、ミキシングバルブ５５によって混合された後の湯水の給湯温度Ｔｍを検出する給湯温検出手段としての給湯温サーミスタ５７とが備えられている。
【００６８】
ミキシングバルブ５５は、ステッピングモータ（図示せず）を用いて、出湯路４９から出湯される湯とバイパス路５３から供給される水との混合比を変更調整できるように構成されるものであって、制御手段Ｄ２が、ステッピングモータを作動させることによって、混合比を調整するように構成されている。
【００６９】
バーナ４６に対する燃料供給路５８には、燃料ガスの供給を断続する電磁操作式の断続弁５９、及び、燃料供給量（バーナ４６の燃焼量）を変更調節自在な電磁操作式のガス量調節弁６０が備えられ、バーナ４６の近くには、バーナ４６に対する点火動作を実行するイグナイタ６１と、バーナ４６に着火されたか否かを検出するフレームロッド６２とがそれぞれ備えられている。
そして、制御手段Ｄ２が、断続弁５９、ガス量調節弁６０、及び、イグナイタ６１の作動を制御して、バーナ４６の着火や消火を行う点消火制御、及び、バーナ４６の燃焼量を調整する燃焼量調整制御を行い、また、フレームロッド６２の検出情報に基づいて、バーナ４６の着火を確認するように構成されている。
【００７０】
リモコン操作部Ｄ３は、給湯部Ｄ１の運転の開始や停止を指令する機能や目標給湯温度Ｔｓの変更設定を行う機能などを備えるものである。
【００７１】
制御手段Ｄ２は、通水量センサ５０にて検出される通水量Ｑｏが燃焼用設定量以上のときにはバーナ４６を燃焼させて、給湯路１０の給湯温度Ｔｍが目標給湯温度Ｔｓになるように、バーナ４６の燃焼量及びミキシングバルブ５５の混合比を調整する給湯制御を実行し、かつ、通水量センサ５０にて検出される通水量Ｑｏが燃焼用設定量未満のときにはバーナ４６の燃焼を停止させるように構成されている。
【００７２】
そして、ミストノズル１１からのミスト噴出量を、多量噴出状態に切換えた場合には、通水量Ｑｏが燃焼用設定量以上となり、少量噴出状態に切換えた場合には、通水量Ｑｏが燃焼用設定量未満となるように構成されている。
ちなみに、少量噴出状態においても、一般給湯栓５４にて湯水が消費されるときには、通水量Ｑｏが燃焼用設定量以上となることはもちろんである。
【００７３】
また、制御手段Ｄ２は、通水量センサ５０にて検出される通水量Ｑｏが燃焼用設定量以上のときには、給水路４８からの湯水を、湯水加熱用熱交換器４５及びバイパス路５３の両者を通して流動させ、且つ、通水量センサ５０にて検出される通水量Ｑｏが燃焼用設定量未満のときには、給水路４８からの湯水を、バイパス路５３のみを通して流動させるように、ミキシングバルブ５５を制御するように構成されている。
【００７４】
つまり、通水量センサ５０にて検出される通水量Ｑｏが燃焼用設定量未満のときには、給水路４８からの湯水を、バイパス路５３のみを通して流動させるべく、ミキシングバルブ５５が湯水加熱用熱交換器４５への通水を停止して、バイパス路５３のみに通水する状態に切換えられ、そして、通水量センサ５０にて検出される通水量Ｑｏが燃焼用設定量以上のときには、上述した給湯制御のために、給水路４８からの湯水を、湯水加熱用熱交換器４５及びバイパス路５３の両者を通して流動させる状態に、ミキシングバルブ５５が切換えられることになる。
【００７５】
制御手段Ｄ２が実行する給湯制御の形態は、種々の形態が存在するが、本実施形態においては、出湯路４９における湯水の出湯温度Ｔｄｏが目標出湯温度Ｔｄｓ（例えば、６０℃）になるように、バーナ４６の燃焼量を制御し、そして、給湯路１０の給湯温度Ｔｍが目標給湯温度Ｔｓになるように、ミキシングバルブ５５の混合比を制御する形態を採用している。
【００７６】
バーナ４６の燃焼量の制御は、フィードフォワード制御と、フィードバック制御とによって行われる。
具体的に説明すると、給水路４８からの通水量Ｑｏを、湯水加熱用熱交換器４５側にはα×Ｑｏを分岐し、バイパス路５３側にはβ×Ｑｏの割合で分岐するとして（ただし、α＋β＝１）、制御手段Ｄ２が、フィードフォワード制御によるバーナ４６の燃焼量として、入水温Ｔｃでα×Ｑｏの量の水を湯水加熱用熱交換器４５で加熱することによって、出湯路４９からの出湯温度Ｔｄｏが目標出湯温度Ｔｄｓ（例えば６０℃）になるようにするための燃焼量を求めることになる。
【００７７】
また、制御手段Ｄ２が、フィードバック制御によるバーナ４６の燃焼量として、出湯温サーミスタ５２の検出温度Ｔｄｏと目標出湯温度Ｔｄｓとの偏差に基づいて、出湯温サーミスタ５２の検出温度Ｔｄｏが目標出湯温度Ｔｄｓになるようにするための燃焼量を求めることになる。
そして、制御手段Ｄ２が、フィードフォワード制御による燃焼量と、フィードバック制御による燃焼量とを加えた目標燃焼量Ｉｐを求めて、その目標燃焼量となるようにガス量調整弁６０の開度を調整することになる。
【００７８】
ミキシングバルブ５５の混合比の制御は、制御手段Ｄ２が、給湯路１０からの給湯温度Ｔｍが、温度設定スイッチ１７により設定された目標給湯温度Ｔｓに近づくように、湯水加熱用熱交換器４５からの湯とバイパス路５３からの水との混合比α対βを調整することになる。
【００７９】
この混合比の制御において、上記したαとβは、基本的には、下記式〔数１〕に基づいて求められることになる。
Ｑｏ×Ｔｓ＝α×Ｑｏ×Ｔｄｓ＋β×Ｑｏ×Ｔｃ--------〔数１〕
ちなみに、α＋β＝１であるから、上記式〔数１〕より、
α＝（Ｔｓ−Ｔｃ）／（Ｔｄｓ−Ｔｃ）--------〔数２〕
β＝（Ｔｓ−Ｔｄｓ）／（Ｔｃ−Ｔｄｓ）--------〔数３〕
が成り立ち、αの値あるいはβの値を求めることができる。
【００８０】
さらに、上記したαとβは、給湯路１０からの給湯温度Ｔｍと温度設定スイッチ１７により設定された目標給湯温度Ｔｓとの偏差に基づいて、補正されることになる。
つまり、上記したαとβは、数２及び数３にて求めた値を、給湯温度Ｔｍと目標給湯温度Ｔｓとの偏差に基づいて補正した目標値として求められて、制御手段Ｄ２が、混合比が求めた目標値となるように、ミキシングバルブ５５の混合比を調整することになる。
【００８１】
このように、本実施形態においては、バーナ４６の燃焼量とミキシングバルブ５５による混合比が調整されて、給湯路１０からの給湯温度Ｔｍが、温度設定スイッチ１７で設定された目標給湯温度Ｔｓになるように制御されるように構成されている。
尚、バーナ４６の目標燃焼量が、調整可能な最大値を超えるときには、制御手段Ｄ２が、上述した水比例バルブ５６を絞り側に調整することになる。
【００８２】
脱衣室リモコンＲ２は、図３に示すように、種々の情報を表示するための表示部６３、ミストサウナ運転を指令するミスト運転指令手段としてのミストスイッチ６４、運転時間を変更設定するためのタイマー設定スイッチ６５、可動ルーバ２４の吹き出し方向の変更  を指令する風向スイッチ６６、乾燥運転を指令する乾燥スイッチ６７、浴室暖房手段Ａを作動させて浴室の暖房を行う暖房運転を指令する暖房スイッチ６８、換気ファン９を作動させる換気運転を指令する換気スイッチ６９、循環ファン７を作動させる涼風運転を指令する涼風スイッチ７０、運転を停止させる停止スイッチ７１等が設けられている。
尚、浴室リモコンＲ１は、図示は省略するが、脱衣室リモコンＲ２と同様な構成となっている。
【００８３】
そして、運転制御部３は、マイクロコンピュータを備えて構成されて、次のような種々の制御を実行するように構成されている。
すなわち、ミストスイッチ６４にてミスト運転が指令されると、湯水供給用流路Ｙを通して供給される湯水を液々交換器２９にて加熱してミストノズル１１に供給するミスト運転を実行し、併せて、空調用熱交換器８に熱媒を循環供給し且つ循環ファン７を作動させて浴室４内を暖房する暖房運転を実行するように構成されている。
【００８４】
乾燥スイッチ４５が操作されると、空調用熱交換器８に熱媒を循環供給し、且つ、循環ファン７及び換気ファン９を作動させて、浴室４内を加熱しながら湿気を含んだ空気を外部に排気させる乾燥運転を実行するように構成されている。
暖房スイッチ４６が操作されると、空調用熱交換器８に熱媒を循環供給し且つ循環ファン７を作動させて浴室４内を暖房する暖房運転を実行するように構成されている。
換気スイッチ４７が操作されると、換気ファン９を作動させて、浴室４内を換気する換気運転を実行するように構成されている。
涼風スイッチ４８が操作されると、空調用熱交換器８に熱媒を供給させない状態で循環ファン７を作動さて、浴室４内の空気を循環流動させる涼風運転を実行するように構成されている。
【００８５】
ミスト運転について説明を加えると、運転制御部３は、ミストスイッチ６４にてミスト運転の運転開始指令が指令されてから運転状態切換タイミングを判別するまでは、多量噴出状態となるように、第１ミスト開閉弁３７及び第２ミスト開閉弁３８を開くように制御し、かつ、運転状態切換タイミングを判別すると、少量噴出状態となるように、第１ミスト開閉弁３７を閉じて第２ミスト開閉弁３８を開くように構成され、そして、運転を開始してからの経過時間がタイマー設定スイッチ６５に設定された運転時間に達した場合や、停止スイッチ７１にて運転停止が指令された場合には、ミスト運転を停止するように構成されている。
【００８６】
運転状態切換タイミングは、本実施形態では、運転開始からの経過時間が、予め設定されている立上げ判別用の設定時間（例えば、１０分）に達するタイミングに設定されている。
【００８７】
また、運転制御部３は、ミスト運転を開始すると、加熱後湯水温度センサ３３Ａの検出手段の検出情報に基づいて、液々熱交換器２９にて加熱された湯水の温度が設定目標温度（例えば、６５℃）になるようにすべく、熱媒流量調整弁３９により熱媒の通流量を調整して液々熱交換器２９の加熱量を変更調整するフィードバック式の加熱量制御を実行するように構成されている。
【００８８】
そして、運転制御部３は、少量噴出状態となるように、第１ミスト開閉弁３７を閉じて第２ミスト開閉弁３８を開くように制御した状態において、加熱前温度検出センサ３３Ｂの検出情報に基づいて、給湯器Ｄが燃焼状態から非燃焼状態に変化したことを検出したときには、上述のフィードバック式の加熱量制御に優先して、予め設定した非燃焼用の初期加熱量となるように、湯水加熱手段の加熱量を変更調整するフィードフォワード式の加熱量制御を実行するように構成されている。
【００８９】
さらに、運転制御部３は、少量噴出状態となるように、第１ミスト開閉弁３７を閉じて第２ミスト開閉弁３８を開くように制御した状態において、加熱前温度検出センサ３３Ｂの検出情報に基づいて、給湯器Ｄが非燃焼状態から燃焼状態に変化したことを検出したときには、フィードフォワード式の加熱量制御として、予め設定した燃焼用の初期加熱量となるように、熱媒流量調整弁３９により熱媒の通流量を調整して液々熱交換器２９の加熱量を変更調整する制御を実行するように構成されている。
【００９０】
すなわち、少量噴出状態おいて、一般給湯栓５４からの湯水の消費が開始されて、給湯器Ｄが非燃焼状態から燃焼状態となったことを、加熱前温度検出センサ３３Ｂの検出情報に基づいて検出したときには、フィードバック式の加熱量制御に優先して、予め設定した燃焼用の初期加熱量となるように、液々熱交換器２９の加熱量を変更調整するフィードフォワード式の加熱量制御を実行させることにより、液々熱交換器２９にて加熱されてミストノズル１１に供給される湯水の温度が、大きく上昇することが抑制されるようになっている。
【００９１】
ちなみに、燃焼用の初期加熱量とは、少量噴出状態おいて、給湯器Ｄが燃焼状態であるときに、液々熱交換器２９にて加熱された湯水の温度を設定目標温度（例えば、６５℃）にするのに好適な加熱量として定められることになり、本実施形態においては、この燃焼用の初期加熱量が、予め実験により定められている。
【００９２】
また、少量噴出状態おいて、一般給湯栓５４から湯水が消費されることにより燃焼状態となっていた給湯器Ｄが一般給湯栓５４の湯水の消費が終了して、非燃焼状態になったことを、加熱前温度検出センサ３３Ｂの検出情報に基づいて検出したときには、フィードバック式の加熱量制御に優先して、予め設定した非燃焼用の初期加熱量となるように、液々熱交換器２９の加熱量を変更調整するフィードフォワード式の加熱量制御を実行させることにより、液々熱交換器２９にて加熱されてミストノズル１１に供給される湯水の温度が、大きく低下することが抑制されるようになっている。
【００９３】
ちなみに、非燃焼用の初期加熱量とは、少量噴出状態おいて、給湯器Ｄが非燃焼状態であるときに、液々熱交換器２９にて加熱された湯水の温度を設定目標温度（例えば、６５℃）にするのに好適な加熱量として定められることになり、本実施形態においては、この非燃焼用の初期加熱量は、予め実験により定められている。
【００９４】
次に、図５のフローチャートに基づいて、ミスト運転における運転制御部３の制御作動について説明する。
尚、フローチャートには記載しないが、ミストスイッチ６４が操作されたときに、前回にミスト運転を実行してからの経過時間が設定長時間の場合には、排出用設定時間が経過する間、ミスト開閉弁３７、３８を閉弁状態に維持したまま給湯弁２８及び排水弁３２を開弁状態に切り換える湯水入れ替え処理を実行されることになる。
【００９５】
ミストスイッチ６４がオン操作されると、先ず、初期運転処理を実行する（＃１）。
この初期運転処理は、熱源機２を作動させて熱媒を循環供給可能な状態に設定し、熱動弁２２を開弁状態に切り換えて、空調用熱交換器８への熱媒の循環供給を開始し、また、給湯弁２８を開き、且つ、多量噴出状態となるように、第１ミスト開閉弁３７及び第２ミスト開閉弁３８を開くように制御する。
尚、初期運転処理においては、熱媒流量調整弁３９は開かれることなく、閉じ状態に維持されて、液々熱交換器２９への熱媒供給が停止状態に維持されることになる。
【００９６】
ちなみに、第１ミスト開閉弁３７及び第２ミスト開閉弁３８が開かれると、ミストノズル１１の噴出状態が多量噴出状態となり、給湯器Ｄからは、加熱された湯水（例えば、４２℃）が供給されることになる。
【００９７】
次に、循環ファン７が作動中であるか否かを判別し（＃２）、作動中でない場合には、熱媒温度検出センサ４０の検出値Ｔｎが第１設定温度（例えば、６０℃）以上であるか否かを判別する（＃３）。
検出値Ｔｎが第１設定温度以上の場合には、循環ファン７の作動を開始して（＃４）、浴室４の暖房を開始する。尚、詳述はしないが、このとき、可動ルーバ２４を作動させて吹出口１５から吹出される空気の吹出し方向を調整する。
【００９８】
つまり、熱源機２から循環供給される熱媒の温度が低いときに、暖房を開始しても、効率良く浴室４内を暖房できないため、熱媒の温度が第１設定温度（例えば、６０℃）以上になると、循環ファン７を作動させて、暖房を開始することになる。
【００９９】
その後、ミストノズル１１の噴出状態を少量噴出状態に切換え済みであるか否かを判別して（＃５）、切換え済みでない場合には、運転開始からの経過時間が立上げ判別用の設定時間を経過したか否かを判別する（＃６）。
運転開始からの経過時間が立上げ判別用の設定時間を経過している場合には、第１ミスト開閉弁３７を閉じて第２ミスト開閉弁３８を開くように制御して、ミストノズル１１の噴出状態を少量噴出状態に切換える（＃７）。
【０１００】
次に、熱媒温度検出センサ４０の検出値Ｔｎが第２設定温度（例えば、６５℃）以上であるか否かを判別する（＃８）。
そして、検出値Ｔｎが第２設定温度（例えば、６５℃）以上の場合には、熱媒流量調整弁３９を開いて、液々熱交換器２９に熱媒を通流し、かつ、その通流量を調整するフィードバック式の加熱量制御（＃１０）やフィードフォワード式の加熱量制御（＃１３、＃１５）が行われることになり、また、＃８にて、熱媒温度検出センサ４０の検出値Ｔｎが第２設定温度未満であると判別した場合には、＃１６の処理に移行する。
【０１０１】
＃８にて、熱媒温度検出センサ４０の検出値Ｔｎが第２設定温度（例えば、６５℃）以上であると判別した場合について、詳述すると、先ず、ミストノズル１１の噴出状態が少量噴出状態であるか否かを判別する（＃９）。
【０１０２】
＃９にて、ミストノズル１１の噴出状態が少量噴出状態でないと判別した場合、つまり、多量噴出状態であると判別した場合には、加熱後湯水温度センサ３３Ａの検出手段の検出情報に基づいて、液々熱交換器２９にて加熱された湯水の温度が設定目標温度（例えば、６５℃）になるようにすべく、熱媒流量調整弁３９により熱媒の通流量を調整して液々熱交換器２９の加熱量を変更調整するフィードバック式の加熱量制御（＃１０）を実行する。
【０１０３】
＃９にて、少量噴出状態であると判別したときには、続いて、給湯器Ｄが非燃焼状態であるか否かを判別し（＃１１）、非燃焼状態であると判別した場合には、非燃焼状態への切換直後であるかを判別する（＃１２）。
【０１０４】
そして、＃１２にて、非燃焼状態への切換直後であると判別した場合には、フィードバック式の加熱量制御（＃１０）に優先して、予め設定した非燃焼用の初期加熱量となるように、液々熱交換器２９の加熱量を変更調整するフィードフォワード式の加熱量制御（＃１３）を実行することになり、＃１２にて、非燃焼状態への切換直後でないと判別した場合には、フィードバック式の加熱量制御（＃１０）を実行する。
【０１０５】
＃１１にて、非燃焼状態でない判別した場合、つまり、給湯器Ｄが燃焼状態であると判別した場合には、燃焼状態への切換直後であるかを判別する（＃１４）。
【０１０６】
そして、＃１４にて、燃焼状態への切換直後であると判別した場合には、フィードバック式の加熱量制御（＃１０）に優先して、予め設定した燃焼用の初期加熱量となるように、液々熱交換器２９の加熱量を変更調整するフィードフォワード式の加熱量制御（＃１５）を実行することになり、＃１４にて、非燃焼状態への切換直後でないと判別した場合には、フィードバック式の加熱量制御（＃１０）を実行する。
【０１０７】
つまり、熱源機２から循環供給される熱媒の温度が低いときに、液々熱交換器２９に熱媒を通流させても、給湯器Ｄからの湯水を効率良く加熱できないため、熱媒の温度が第２設定温度（例えば、６５℃）以上になると、熱媒流量調整弁３９を開いて、液々熱交換器２９に熱媒を通流することを開始し、かつ、液々熱交換器２９にて加熱された湯水の温度が設定目標温度（例えば、６５℃）になるようにすべく、フィードバック式の加熱量制御（＃１０）やフィードフォワード式の加熱量制御（＃１３、＃１５）を行うことになる。
【０１０８】
＃８にて、熱媒温度検出センサ４０の検出値Ｔｎが第２設定温度未満であると判別した場合や、＃１０にて、フィードバック式の加熱量制御を実行のち、及び、＃１３、＃１５にて、フィードフォワード式の加熱量制御を実行したのちは、ミスト運転を実行してからの経過時間が、タイマー設定スイッチ６５に設定された運転時間を経過したか否かを判別し（＃１６）、経過時間が設定された運転時間を経過していると判別した場合には、給湯弁２８を閉じ、且つ、多量噴出状態となるように、第１ミスト開閉弁３７及び第２ミスト開閉弁３８を閉じてミスト運転を停止する停止処理を実行する（＃１８）。
【０１０９】
また、＃１６にて、経過時間が設定された運転時間を経過していないと判別した場合には、続いて、停止スイッチ７１にて運転停止が指令されているか否かを判別し（＃１７）、運転停止が指令されている場合には、＃１８の停止処理を実行し、また、運転停止が指令されていない場合には、＃２からの処理を繰り返し実行することになる。
【０１１０】
ちなみに、本実施形態では詳述しないが、＃１８の処理を実行したのちは、一般に、暖房運転と換気運転が行われて、浴室４内が乾燥されることになる。
【０１１１】
〔別実施形態〕
以下、別実施形態を列記する。
（１）上記実施形態では、給湯器からミスト噴出手段に供給される湯水を加熱する湯水加熱手段として、熱源機からの熱媒が循環供給される液々熱交換器を例示したが、湯水加熱手段としては、電気ヒータにて加熱する形態のものや、ヒートポンプにて加熱する形態のもの等、種々の形態のものが適用できる。
【０１１２】
（２）上記実施形態では、給湯器として、湯水加熱用熱交換器をバイパスして給水路からの湯水を流動させるバイパス路を備えて、湯水の通水量が燃焼用設定量以上のときには、給水路からの湯水を、湯水加熱用熱交換器及びバイパス路の両者を通して流動させ、且つ、湯水の通水量が燃焼用設定量未満のときには、給水路からの湯水を、バイパス路のみを通して流動させるように構成されているものを例示したが、給湯器の具体構成は、種々変更できるものであって、要は、湯水の通水量が燃焼用設定量以上のときには、給水路からの湯水を、湯水加熱用熱交換器を通して流動させて加熱したのちミスト噴出手段に供給し、且つ、湯水の通水量が記燃焼用設定量未満のときには、給水路からの湯水を、湯水加熱用熱交換器を通過させない状態で流動させてミスト噴出手段に供給するように構成されているものであればよい。
【０１１３】
（３）上記実施形態では、給湯器が、ミスト噴出手段に加えて、一般給湯栓にも給湯する場合を例示したが、給湯器が、ミスト噴出手段にのみ給湯する形態にて実施してもよい。
【０１１４】
（４）上記実施形態では、浴室内の空間を、ミスト浴用空間として利用する場合を例示したが、専用のミスト浴用空間に対してミストを噴出する形態で実施してもよい。
【０１１５】
（５）上記実施形態では、多量噴出状態から少量噴出状態に切換える運転状態切換タイミングが、運転開始からの経過時間が、ミスト浴を行うに適した状態となるようにミスト浴用空間を昇温させるのに必要な時間を見込んで設定した設定時間に達すると、運転状態切換タイミングであると判別する場合を例示したが、運転状態切換タイミングを判別する構成としては、ミスト浴用空間の温度を検出する温度検出センサの検出温度が、運転状態切換用の設定温度に上昇すると、運転状態切換タイミングであると判別する構成としてもよい。
【０１１６】
その他、ミスト浴用空間内に人体が存在するか否かを検出する人体検知センサが、人体非存在状態から人体存在状態を検出すると、運転状態切換タイミングであると判別する構成としてもよく、そして、ミスト浴用空間内に人体が存在するか否かを検出する構成としては、ミスト浴用空間の温度を検出する温度検出センサの検出温度が、入浴者がミスト浴用空間の入口の扉を開閉してミスト浴用空間に入ることにより、一旦低下したのち再び上昇することに鑑みて、その温度変化を検出すると、運転状態切換タイミングであると判別する構成としてもよい。
【０１１７】
（６）上記実施形態では、多量噴出状態におけるミスト噴出量、及び、少量噴出状態におけるミスト噴出量が、定量に定められる場合を例示したが、それらのミスト噴出量を変更調整できる形態で実施してもよい。
【０１１８】
（７）上記実施形態では、ミスト噴出装置をミストサウナ機能付き浴室暖房乾燥機に適用した場合について説明したが、ミストサウナ機能だけを備えるミストサウナ専用の装置にミスト噴出装置を適用してもよい。
【０１１９】
（８）上記実施形態では、熱媒を供給する熱源機と湯水を供給する給湯器とを、一つの給湯熱源機として構成する場合を例示したが、熱源機と給湯器とを各別な装置として構成する形態で実施してもよい。
【符号の説明】
【０１２０】
３      制御手段
２９    湯水加熱手段
３３Ａ  加熱後湯水温度検出手段
３３Ｂ  加熱前湯水温度検出手段
３７    ミスト噴出量変更手段
４５    湯水加熱用熱交換器
４６    バーナ
４８    給水路
５３    バイパス路
５４    一般給湯栓
Ｂ      ミスト噴出手段
Ｄ      給湯器
Ｋ      ミスト浴用空間
【図１】
0005788687.tif 000002
【図２】
0005788687.tif 000003
【図３】
0005788687.tif 000004
【図４】
0005788687.tif 000005
【図５】
0005788687.tif 000006